(57)【特許請求の範囲】
【請求項１】
使い捨て装着ユニットにおいて、
ハウジング組立体と、
前記ハウジング組立体に結合されたナイフ組立体と、
前記ハウジング組立体に結合された、医療物質を受容する医療物質カートリッジと、
前記医療物質カートリッジに接触し、電気活性ポリマーを含む、少なくとも１つの医療物質ドライバと、
を含み、
前記使い捨て装着ユニットは、前記ナイフ組立体のカッティング面の近傍に前記医療物質を送達するように構成されており、
前記ナイフ組立体は、前記カッティング面の近傍に第１の溝を画定する第１の面と、前記カッティング面の近傍に第２の溝を画定する、前記第１の面と反対側の第２の面とを含み、
前記医療物質カートリッジは、本体と、前記本体によって画定された、前記第１の溝に近接した第１のディスペンスポートと、前記本体によって画定された、前記第２の溝に近接した第２のディスペンスポートとを含む、
使い捨て装着ユニット。
【請求項２】
請求項１に記載の使い捨て装着ユニットにおいて、
前記医療物質カートリッジは、前記本体に結合された第１のシーリング部材をさらに含む、使い捨て装着ユニット。
【請求項３】
請求項２に記載の使い捨て装着ユニットにおいて、
前記医療物質カートリッジは、前記本体に結合された第２のシーリング部材をさらに含む、使い捨て装着ユニット。
【請求項４】
外科器具において、
ハンドル組立体と、
前記ハンドル組立体に結合された細長い本体と、
前記細長い本体に取外し可能に結合された使い捨て装着ユニットと、
を含み、
前記使い捨て装着ユニットは、
ハウジング組立体、
前記ハウジング組立体に結合されたナイフ組立体、
前記ハウジング組立体に結合された、医療物質を受容する医療物質カートリッジ、および、
前記医療物質カートリッジに接触し、電気活性ポリマーを含む、少なくとも１つの医療物質ドライバ、
を備え、
前記ナイフ組立体のカッティング面の近傍に前記医療物質を送達するように構成されており、
前記ナイフ組立体は、前記カッティング面の近傍に第１の溝を画定する第１の面と、前記カッティング面の近傍に第２の溝を画定する、前記第１の面と反対側の第２の面とを含み、
前記医療物質カートリッジは、本体と、前記本体によって画定された、前記第１の溝に近接した第１のディスペンスポートと、前記本体によって画定された、前記第２の溝に近接した第２のディスペンスポートとを含む、
外科器具。
【発明の詳細な説明】
【開示の内容】
【０００１】
〔発明の分野〕
本願は、再使用可能な外科器具に取り付けるように構成された使い捨て装着ユニット、ならびに使い捨て装着ユニットを含む外科器具に関連した発明を様々な実施形態を用いて開示する。
【０００２】
〔発明の背景〕
組織に長手方向の切開部を形成すると同時にこの切開部の両側に列状にステープル留めするために用いられる外科器具は、当分野で周知である。このような組織の例として、ヒトの組織、動物の組織、膜、または他の生体物質を挙げることができる。このような外科器具は、通常は、協働して間に組織を把持またはクランプする１対の対向したジョー部材、ならびに切開部を形成するカッティング面を含む。内視鏡または腹腔鏡と共に用いられる場合、対向したジョー部材は、カニューレ通路内を通過することができる。ジョー部材の一方が、通常は、ステープルカートリッジを支持する。このようなステープルカートリッジは、少なくとも２列の離間したステープルおよびこれらのステープルに整列したプッシャーを有する。他方のジョー部材が、開位置と閉位置との間で移動可能であって、アンビルを画定している。このようなアンビルは、ステープルカートリッジの対応するステープル列に整列したステープル成形ポケットを有する。このような器具は、ウェッジも含むことができる。ウェッジは、駆動されると、プッシャーに順次接触し、ステープルが、組織を介してアンビルに向かって上方に発射される。
【０００３】
このような外科処理によって、組織が相当な外傷を受けうる。一般に、外傷した組織部位に十分な量の医療物質を送達することによって、切開部の適切な癒着が促進され、感染症のリスクが軽減され、かつ／または治癒過程が大幅に改善される。外傷した組織部位への医療物質の送達は、切開部の形成およびステープル留めを行う外科器具以外の手段によって行われる場合が多い。一般に、このような手段によって、外科処置が複雑になり、コストが嵩む。しかしながら、このような手段が必要な場合が多い。なぜなら、切開部を形成すると同時にステープル留めする多くの外科器具は、十分な量の医療物質を保持して外傷した組織部位に医療物質を送達するようには構成されておらず、外科器具を介して外傷した組織部位へ医療物質を送達すると、この外科器具の再使用が困難になるためである。
【０００４】
〔発明の概要〕
一態様では、本願は、使い捨て装着ユニットを開示する。様々な実施形態によると、使い捨て装着ユニットは、ハウジング組立体、このハウジング組立体に結合されたナイフ組立体、およびハウジング組立体に結合された医療物質カートリッジを含む。医療物質カートリッジは医療物質を受容する。使い捨て装着ユニットは、ナイフ組立体のカッティング面の近傍に医療物質を送達するように構成されている。使い捨て装着ユニットは、ハウジング組立体に結合されたステープルカートリッジ、およびこのハウジング組立体に結合されたアンビル組立体をさらに含むことができる。
【０００５】
別の態様では、本願は、外科器具を開示する。様々な実施形態によると、この外科器具は、ハンドル組立体、このハンドル組立体に結合された細長い本体、およびこの細長い本体に取外し可能に結合された使い捨て装着ユニットを含む。使い捨て装着ユニットは、ハウジング組立体、このハウジング組立体に結合されたナイフ組立体、ハウジング組立体に結合された医療物質カートリッジ、およびナイフ組立体に結合された少なくとも１つの医療物質ドライバを含む。医療物質カートリッジは、医療物質を受容する。使い捨て装着ユニットは、ナイフ組立体のカッティング面の近傍に医療物質を送達するように構成されている。使い捨て装着ユニットは、ハウジング組立体に結合されたステープルカートリッジ、およびこのハウジング組立体に結合されたアンビル組立体をさらに含むことができる。
【０００６】
別の態様では、本願は、外科器具を開示する。様々な実施形態によると、この外科器具は、ハンドル組立体、このハンドル組立体に結合された細長い本体、およびこの細長い本体に取外し可能に結合された使い捨て装着ユニットを含む。使い捨て装着ユニットは、ハウジング組立体、このハウジング組立体に結合されたナイフ組立体、ハウジング組立体に結合された医療物質カートリッジ、およびこの医療物質カートリッジに接触した少なくとも１つの医療物質ドライバを含む。医療物質カートリッジは、医療物質を受容する。少なくとも１つの医療物質ドライバは、電気活性ポリマーを含む。使い捨て装着ユニットは、ナイフ組立体のカッティング面の近傍に医療物質を送達するように構成されている。使い捨て装着ユニットは、ハウジング組立体に結合されたステープルカートリッジ、およびこのハウジング組立体に結合されたアンビル組立体をさらに含むことができる。
【０００７】
〔詳細な説明〕
本発明の図面および説明は、本発明を明確に理解するのに適した要素を例示し、分かり易くするために他の要素を省いていることを理解されたい。しかしながら、当業者であれば、これらの要素および他の要素が望ましいであろうことを理解できよう。しかしながら、このような要素は、当分野で周知であり、開示する発明を理解しやすくするものではないため、このような要素の説明は省略する。
【０００８】
図１および図２は、使い捨て装着ユニット１０の様々な実施形態を例示し、図２は、使い捨て装着ユニット１０の組立分解図を示している。使い捨て装着ユニット１０は、外科器具（図１５を参照）に取外し可能に結合するように構成された第１の端部１２、およびこの第１の端部１２の反対側の第２の端部１４を含む。使い捨て装着ユニット１０は、ハウジング組立体１６、医療物質カートリッジ１８、ナイフ組立体２０、ステープルカートリッジ２２、およびアンビル組立体２４を含む。使い捨て装着ユニット１０は、１回使用した後に取り外して廃棄することができる。
【０００９】
ハウジング組立体１６は、溝型部材２６、およびこの溝型部材２６に結合された溝カバー２８を含む。溝型部材２６および溝カバー２８は、例えば、プラスチックなどの任意の好適な材料から形成することができる。溝型部材２６は、使い捨て装着ユニット１０の第１の端部１２に近接した第１の端部３０、および使い捨て装着ユニット１０の第２の端部１４に近接した第２の端部３２を含む。溝型部材２６は、ベース３４、第１の壁部３６、および第２の壁部３８を含む。様々な実施形態によると、ベース３４は、溝型部材２６の第１の端部３０に近接した開口４０、溝型部材２６の第１の端部３０に近接した第１のスロット４２、溝型部材２６の第１の端部３０に近接した第２のスロット４４、および溝型部材２６の第２の端部３２に近接した第３のスロット４６を画定している。第１の壁部３６は、ベース３４につながっていて、このベース３４から概ね垂直に延びている。第２の壁部３８は、ベース３４につながっていて、このベース３４から概ね垂直に延び、第１の壁部３６に対向している。第２の壁部３８は、第１の壁部３６と鏡像とすることができ、第１および第２の壁部３６、３８は、ベース３４と一体成形することができる。様々な実施形態によると、第１および第２の壁部３６、３８はそれぞれ、第４のスロット４８、第１のタブ５０、第１の凹部５２、第５のスロット５４、第２の凹部５６、第６のスロット５８、第３の凹部６０、第４の凹部６２、第７のスロット６４、第８のスロット６６、および第１のフランジ６８を画定している。
【００１０】
溝カバー２８は、使い捨て装着ユニット１０の第１の端部１２に近接した第１の端部７０、および第１の端部７０の反対側の第２の端部７２を含み、溝カバー２８の第１の端部７０から溝カバー２８の第２の端部７２まで延びる軸に沿って対称にすることができる。溝カバー２８は、複数の位置で溝型部材２６に係合するように構成されている。様々な実施形態によると、溝カバー２８は、この第１の端部７０に近接した、この溝カバー２８から延びた１対の結合ペグ７４を画定している。結合ペグ７４の１つが、溝型部材２６によって画定された開口４０を通過している。溝カバー２８はまた、溝カバー２８の第２の端部７２に近接したスリット７６を画定している。様々な実施形態によると、溝カバー２８は、第４のスロット４８を通過して係合する第１の１対のタブ７８、第１の凹部５２に係合する第１の１対の内側突出部、第５のスロット５４を貫通して係合する第２の１対のタブ８０、第２の凹部５６に係合する第２の１対の内側突出部、第６のスロット５８に係合する第３の１対の内側突出部を画定している。別の実施形態によると、溝型部材２６および溝カバー２８は、溝カバー２８を溝型部材２６に結合するために用いることができるタブ、スロット、突出部、および凹部などの他の構造も含むように形成することができる。
【００１１】
医療物質カートリッジ１８は、ハウジング組立体１６に結合され、少なくとも１種類の医療物質を受容している。この医療物質は、あらゆるタイプの医療物質とすることができる。この医療物質の例として、麻酔剤、接着剤、抗生物質、焼灼物質、凝固剤、成長ホルモン、止血剤、シーラント、またはこれらの任意の組合せを挙げることができる。
【００１２】
医療物質カートリッジ１８は、使い捨て装着ユニット１０の第１の端部１２に近接した第１の端部８２、およびこの第１の端部８２の反対側の第２の端部８４を含む。医療物質カートリッジ１８は、医療物質に適合性の任意の好適な材料（例えば、プラスチック）から形成することができる本体８６（図６を参照）を含む。様々な実施形態によると、この本体８６は、第１の部分８８および第２の部分９０を含む。第１の部分８８は、この第１の部分８８から延びた第１のスプラインを画定することができる。この第１のスプラインは、溝型部材２６のベース３４の第１のスロット４２を通過して係合する。図３に示されているように、第１の部分８８は、医療物質カートリッジ１８の第２の端部８４に近接した第１のディスペンスポート９６および第１の突出部９４も画定することができる。第１の突出部９４は、任意の形状（例えば、矩形、三角形、および半球など）にすることができる。第１のディペンスポート９６は、医療物質カートリッジ１８の第２の端部８４と第１の突出部９４との間の位置している。第２の部分９０は、第１の部分８８から離間し、この第１の部分８８と鏡像にすることができる。第２の部分９０は、この第２の部分９０から延びる第２のスプラインを画定することができる。この第２のスプラインは、溝型部材２６のベース３４の第２のスロット４４を通過して係合する。図３に示されているように、第２の部分９０は、医療物質カートリッジ１８の第２の端部８４に近接した第２のディスペンスポート１０２および第２の突出部１００を画定することができる。第２の突出部１００は、任意の形状（例えば、矩形、三角形、および半球など）にすることができる。第２のディスペンスポート１０２は、医療物質カートリッジ１８の第２の突出部１００と第２の端部８４との間に位置している。他の実施形態によると、本体８６は、医療物質カートリッジ１８をハウジング組立体１６に結合するために用いることができるスプライン、タブ、または締付け具などの他の構造を含むように形成することができる。
【００１３】
様々な実施形態によると、医療物質カートリッジ１８は、第１のシーリング部材１０４（図３を参照）および第２のシーリング部材１０６（図３を参照）も含む。第１のシーリング部材１０４は、第１の部分８８に結合され、第１の部分８８と協働して医療物質を受容する。同様に、第２のシーリング部材１０６は、第２の部分９０に結合され、第２の部分９０と協働して第２の医療物質を受容する。第１の医療物質と第２の医療物質は、同じにしても良いし、別にしても良い。
【００１４】
ナイフ組立体２０は、ハウジング組立体１６に結合され、使い捨て装着ユニット１０の第１の端部１２に近接した第１の端部１０８、およびこの第１の端部１０８の反対側の第２の端部１１０を含む。ナイフ組立体２０は、本体１１２およびカッティング面１１４を含む。様々な実施形態によると、カッティング面１１４は、ナイフ組立体２０の第２の端部１１０に近接した本体１１２に結合されたナイフの刃の一部を含む。本体１１２は、例えばプラスチックなどの任意の好適な材料から形成することができる。様々な実施形態によると、本体１１２は、ナイフ組立体２０の第１の端部１０８に近接した第１のクランプ部材１１６、ナイフ組立体２０の第１の端部１０８に近接した第２のクランプ部材１１８、およびナイフ組立体２０の第２の端部１１０に近接した脚部材１２０を含む。脚部材１２０は、溝型部材２６のベース３４の第３のスロット４６を通過して、ハウジング組立体１６の外側にあるリテーナ１２２に係合し、ナイフ組立体２０を、第３のスロット４６に沿って溝型部材２６の第２の端部３２に向かって選択的に前進させることができるように、本体１１２をハウジング組立体１６にスライド可能に結合する役割を果たす。
【００１５】
ナイフ組立体２０の本体１１２は、第１の面１２４、およびこの第１の面１２４と反対側の第２の面１２６（図６を参照）も含む。本体１１２の第１の面１２４は、医療物質カートリッジ１８の第１の部分８８に近接し、本体１１２の第２の面１２６は、医療物質カートリッジ１８の第２の部分９０に近接している。本体１１２の第１の面１２４は、第１の溝１２８を画定し、本体１１２の第２の面１２６は、第２の溝１３０を画定している（図６を参照）。第１の溝１２８は、ナイフ組立体２０のカッティング面１１４に近接し、ナイフ組立体２０の第１の端部１０８に向かって本体１１２の第１の面１２４に沿って任意の距離まで伸ばすことができる。第１の溝１２８は、第１のディスペンスポート９６に近接し、本体８６の第１の部分８８の第１の突出部９４を受容するように構成されている。第２の溝１３０は、ナイフ組立体２０のカッティング面１１４に近接し、ナイフ組立体２０の第１の端部１０８に向かって本体１１２の第２の面１２６に沿って任意の距離まで伸ばすことができる。第２の溝１３０は、第２のディスペンスポート１０２に近接し、本体８６の第２の部分９０の第２の突出部１００を受容するように構成されている。第１および第２の溝１２８、１３０のそれぞれは、第１の突出部９４および第２の突出部１００をそれぞれ受容するのに適した任意の形状（例えば、矩形、三角形、または半球など）にすることができる。ナイフ組立体２０の本体１１２は、ナイフ組立体２０の第２の端部１１０に近接した、第１の面１２４から第２の面１２６まで延びる開口１３２も画定することができる。
【００１６】
ステープルカートリッジ２２は、ハウジング組立体１６に結合されている。ステープルカートリッジ２２は、第１の端部１３４、およびこの第１の端部１３４の反対側の第２の端部１３６を含む。ステープルカートリッジ２２の第２の端部１３６は、使い捨て装着ユニット１０の第２の端部１４に近接している。ステープルカートリッジ２２は、当分野で周知の他のステープルカートリッジに類似させることができる。例えば、ステープルカートリッジ２２は、複数の外科ファスナーおよび複数の対応するプッシャーを含むことができる。様々な実施形態によると、ステープルカートリッジ２２は、溝型部材２６のベース３４の第３のスロット４６に整列したスロット１４２を画定している。このスロット１４２は、ステープルカートリッジ２２の第１の端部１３４からステープルカートリッジ２２の第２の端部１３６に向かって延びている。ステープルカートリッジ２２は、溝型部材２６の第７のスロット６４および第８のスロット６６を通過して係合する、ステープルカートリッジ２２から延びるタブも画定することができる。ステープルカートリッジ２２は、溝型部材２６の第２の端部３２に近接した溝型部材２６の第１および第２の壁部３６、３８に摩擦係合するフランジ１４６も含むことができる。他の実施形態によると、ステープルカートリッジ２２は、ハウジング組立体１６にステープルカートリッジ２２を結合するために用いることができるタブ、フランジ、または締付け具などの他の構造を含むように形成することができる。
【００１７】
アンビル組立体２４は、ハウジング組立体１６に結合されている。アンビル組立体２４は、第１の端部１４８、およびこの第１の端部１４８の反対側の第２の端部１５０を含む。アンビル組立体２４の第２の端部１５０は、使い捨て装着ユニット１０の第２の端部１４に近接している。アンビル組立体２４は、当分野で周知の他のアンビル組立体に類似させることができる。例えば、アンビル組立体２４は、開位置と閉位置との間で移動可能であり、アンビルプレート１５２およびこのアンビルプレート１５２に結合されたアンビル本体１５４を含むことができる。様々な実施形態によると、アンビルプレート１５２は、ステープルカートリッジ２２のスロット１４２に整列したスロット１５６を画定しており、アンビル本体１５４は、アンビルプレート１５２のスロット１５６に整列したスロット１５８を画定している。アンビルプレート１５２は、アンビル組立体２４の第１の端部１４８に近接した第１の１対の耳１６０、およびアンビル組立体２４の第２の端部１５０と第１の１対の耳１６０との間に位置する第２の１対の耳１６２も画定することができる。第２の１対の耳１６２の一方が、溝型部材２６の第１の壁部３６によって画定された第３の凹部６０に係合し、第２の１対の耳１６２の他方が、溝型部材２６の第２の壁部３８によって画定された第３の凹部６０に係合する。バネ部材１６４または他の付勢構造を用いて、アンビル組立体２４を開位置に付勢することができ、ナイフ組立体２０の開口１３２を通過するアンビルピン１６６を用いて、アンビル組立体２４を閉位置に向かって付勢することができる。他の実施形態によると、アンビル組立体２４は、このアンビル組立体２４をハウジング組立体１６に結合するために用いることができる他の締付け構造を含むように形成することができる。
【００１８】
使い捨て装着ユニット１０は、医療物質カートリッジ１８の第１の端部８２に近接した第１の医療物質ドライバ１６８、および医療物質カートリッジ１８の第１の端部８２に近接した第２の医療物質ドライバ１７０（図６を参照）をさらに含むことができる。様々な実施形態によると、第１および第２の医療物質ドライバ１６８、１７０は、ナイフ組立体２０の第１の端部１０８でこのナイフ組立体２０に結合されている駆動ブロック１７２の一部を含むことができる。このような実施形態では、第１の医療物質ドライバ１６８は、医療物質カートリッジ１８の本体８６の第１の部分８８内に嵌合してスライドするように構成することができ、第２の医療物質ドライバ１７０は、医療物質カートリッジ１８の本体８６の第２の部分９０内に嵌合してスライドするように構成することができる。他の実施形態によると、第１の医療物質ドライバ１６８は、図１３および図１４に示されているように、医療物質カートリッジ１８の本体８６の第１の部分８８に接触している電気活性ポリマーを含むことができる。同様に、第２の医療物質ドライバ１７０は、医療物質カートリッジ１８の本体８６の第２の部分９０に接触している電気活性ポリマーを含むことができる。このような実施形態では、第１および第２の医療物質ドライバ１６８、１７０はそれぞれ、使い捨て装着ユニット１０の第１の端部１２に近接し、電源に接続された接点１７４（図１４を参照）に電気的に接続することができる。
【００１９】
図２に示されているように、使い捨て装着ユニット１０は、駆動ブロック１７２に結合されたロック部材１７６、このロック部材１７６を駆動ブロック１７２に結合するためのリテーナ１７８、およびナイフ組立体２０の第２の端部１１０に近接して配置されたスレッド１８０も含むことができる。駆動ブロック１７２、ロック部材１７６、リテーナ１７８、およびスレッド１８０は、当分野で周知のものと同様にすることができる。使い捨て装着ユニット１０は、駆動ブロック１７２に結合された発射部材アダプタ１８２をさらに含むことができる。この発射部材アダプタ１８２は、使い捨て装着ユニット１０の一部を構成しない発射部材を受容するように構成されている。
【００２０】
図４は、使い捨て装着ユニット１０の様々な実施形態を例示している。見やすくするために、使い捨て装着ユニット１０の一定の部分は、この図面には示していない。第１および第２のクランプ部材１１６、１１８は、駆動ブロック１７２に結合され、ロック部材１７６およびリテーナ１７８も、駆動ブロック１７２に結合されている。第１の医療物質ドライバ１６８は、駆動ブロック１７２に結合され、スレッド１８０は、ナイフ組立体２０の第２の端部１１０に近接している。図示されている構成要素の溝型部材２６に対する全体的な位置は、発射部材の前進の前の構成要素の位置（すなわち、発射前位置）を示している。
【００２１】
図５は、使い捨て装着ユニット１０の様々な実施形態を例示している。見やすくするために、使い捨て装着ユニット１０の一定の部分は、この図面には図示していない。図５は、図４に類似しており、医療物質カートリッジ１８の本体８６の第１の部分８８に整列した第１の医療物質ドライバ１６８を示している。図示されている構成要素の溝型部材２６に対する全体的な位置は、発射部材の前進の前の構成要素の位置（すなわち、発射前位置）を示している。
【００２２】
図６は、使い捨て装着ユニット１０の様々な実施形態を例示し、図５の線６‐６に沿った使い捨て装着ユニット１０の断面を示している。図６に示されているように、第１および第２のディスペンスポート９６、１０２は、溝型部材２６のベース３４に対して所定の角度で、第１および第２の部分８８、９０のそれぞれを貫通することができる。
【００２３】
図７は、使い捨て装着ユニット１０の様々な実施形態を例示している。見やすくするために、使い捨て装着ユニット１０の一定の部分は、この図面には示していない。アンビル組立体２４は、図７のステープルカートリッジ２２に対して開いた位置に示されている。図示されている構成要素の溝型部材２６に対する全体的な位置は、発射部材の前進の前の構成要素の位置（すなわち、発射前位置）を示している。
【００２４】
図８は、使い捨て装着ユニット１０の様々な実施形態を例示している。見やすくするために、使い捨て装着ユニット１０の一定の部分は、この図面には示していない。図８は、図７に類似しているが、医療物質カートリッジ１８の本体８６の第１の部分８８も示している。
【００２５】
図９は、使い捨て装着ユニット１０の様々な実施形態を例示する、図８に例示された使い捨て装着ユニット１０の一部の拡大図である。
【００２６】
図１０は、使い捨て装着ユニット１０の様々な実施形態を例示する、図８に例示されている使い捨て装着ユニット１０の一部の拡大図である。
【００２７】
図１１は、使い捨て装着ユニット１０の様々な実施形態を例示している。見やすくするために、使い捨て装着ユニット１０の一定の部分は、この図面には示していない。図示する構成要素の溝型部材２６に対する全体的な位置は、発射部材が前進した後の構成要素の位置（すなわち、発射後位置）を示している。図１１に示されているように、アンビル組立体２４は、閉じた位置にあり、溝型部材２６に対するナイフ組立体２０、アンビル組立体２４、第１の医療物質ドライバ１６８、駆動ブロック１７２、およびロック部材１７６の発射後位置は、これらの発射前位置と異なっている。
【００２８】
図１２は、使い捨て装着ユニット１０の様々な実施形態を例示する、図１１に例示されている使い捨て装着ユニット１０の一部の拡大図である。図１２に示されているように、第１の医療物質ドライバ１６８の発射後位置は、第１のディスペンスポート９６から所定距離離間させることができる。同様に、第２の医療物質ドライバ１７０の発射後位置は、第２のディスペンスポート１０２から所定距離離間させることができる。
【００２９】
図１３は、使い捨て装着ユニット１０の様々な実施形態を例示している。見やすくするために、使い捨て装着ユニット１０の一定の部分は、この図面には示していない。図１３は、図４に類似しているが、医療物質カートリッジ１８の本体８６の第１の部分８８、および電気活性ポリマーとして具現されている第１の医療物質ドライバ１６８も示している。図１３はまた、第１の医療物質ドライバ１６８と接点１７４を電気的に接続する導線１８４を例示している。図示されている構成要素の溝型部材２６に対する全体的な位置は、発射部材が前進した前の構成要素の位置（すなわち、発射前位置）を示している。
【００３０】
図１４は、使い捨て装着ユニット１０の様々な実施形態を例示している。見やすくするために、使い捨て装着ユニット１０の一定の部分は、この図面には示していない。図１４は、図８に類似しているが、電気活性ポリマーとして具現された第１の医療物質ドライバ１６８を示している。図１４はまた、接点１７４、およびこの接点１７４と第１の医療物質ドライバ１６８を電気的に接続する導線１８４も例示している。図示されている構成要素の溝型部材２６に対する全体的な位置は、発射部材が前進する前の構成要素の位置（すなわち、発射前位置）を示している。
【００３１】
図１５は、外科器具２００の様々な実施形態を例示している。外科器具２００は、ハンドル組立体２０２、このハンドル組立体２０２に結合された細長い本体２０４、およびこの細長い本体２０４に取外し可能に結合された使い捨て装着ユニット１０を含む。使い捨て装着ユニット１０は、任意の要領で細長い本体２０４に取外し可能に結合することができる。例えば、使い捨て装着ユニット１０は、上記した結合ペグ７４を用いて細長い本体２０４に取外し可能に結合することができる。ハンドル組立体２０２および細長い本体２０４は、当分野で周知の他のハンドル組立体および細長い本体に類似させることができる。例えば、ハンドル組立体２０２は、細長い本体２０４によって取り囲まれた発射部材を前進させるための手段を含むことができる。この手段を用いて、使い捨て装着ユニット１０の駆動ブロック１７２を前進させることができる。
【００３２】
使用の際、発射部材が前進すると、この発射部材の前進により、駆動ブロック１７２が、使い捨て装着ユニット１０の第２の端部１４に向かって前進する。駆動ブロック１７２が前進すると、ナイフ組立体２０が、使い捨て装着ユニット１０の第２の端部１４に向かって前進する。ナイフ組立体２０の前進により、アンビルピン１６６が、アンビル本体１５４と協働して、アンビル組立体２４を閉位置に向かって付勢する。また、このナイフ組立体２０の前進により、スレッド１８０が使い捨て装着ユニット１０の第２の端部１４に向かって前進する。スレッド１８０が前進すると、このスレッド１８０の傾斜した前縁が、ステープルカートリッジ２２内に支持されたプッシャーに順次接触し、これにより、プッシャーが、既知の要領で外科ファスナーをステープルカートリッジ２２から押し出す。
【００３３】
第１および第２の医療物質ドライバ１６８、１７０がナイフ組立体２０に結合されている実施形態では、駆動ブロック１７２の前進により、本体８６の第１および第２の部分８８、９０内の第１および第２の医療物質ドライバ１６８、１７０が、医療物質カートリッジ１８の第２の端部８４に向かって前進する。第１および第２の医療物質ドライバ１６８、１７０が前進すると、これらのドライバが、第１および第２のシーリング部材１０４、１０６に接触し、これにより、第１および第２の医療物質が、第１および第２のディスペンスポート９６、１０２から排出される。第１および第２の医療物質ドライバ１６８、１７０の発射後位置が、第１および第２のディスペンスポート９６、１０２から所定距離離間することができるため、第１および第２の医療物質ドライバ１６８、１７０が発射前位置から発射後位置に前進した後も、一定量の医療物質が、医療物質カートリッジ１８内に残る。
【００３４】
第１および第２の医療物質ドライバ１６８、１７０が電気活性ポリマーである実施形態では、発射部材の前進により、接点１７４に電気的に接続され、これにより、第１および第２の医療物質ドライバ１６８、１７０に電圧がかかる。この電圧に応答して、第１および第２の医療物質ドライバ１６８、１７０が、医療物質カートリッジ１８の本体８６の第１および第２の部分８８、９０内で拡張し、第１および第２の医療物質を、第１および第２のディスペンスポート９６、１０２から排出される。
【００３５】
第１の突出部９４および第２の突出部１００が、第１および第２の医療物質が溝１２８、１３０に沿って使い捨て装着ユニット１０の第１の端部１２に向かって流れるのを制限するストッパーとして機能するため、第１および第２のディスペンスポート９６、１０２から排出される医療物質は、それぞれの溝１２８、１３０に沿って、使い捨て装着ユニット１０のカッティング面１１４に向かって前進する。ナイフ組立体２０が、ステープルカートリッジ２２によって画定されたスロット１４２に沿って前進すると、医療物質がカッティング面１１４に近接した溝１２８、１３０から排出されるまで、ステープルカートリッジ２２も、溝１２８、１３０内に医療物質を保持する役割を果たす。したがって、医療物質が、切断およびステープル留め部位に効果的に送達される。
【００３６】
一回使用した後、使い捨て装着ユニット１０を細長い本体２０４から取り外して、次の使用のために別の使い捨て装着ユニット１０と交換することができる。この手順は、何回も繰り返すことができる。したがって、ハンドル組立体２０２およびこのハンドル組立体２０２に結合された細長い本体２０４は、何度も再使用することができる。
【００３７】
本発明のいくつかの実施形態を説明してきたが、本発明の利点の一部または全てを理解すれば、当業者であれば、このような実施形態の様々な改良、変更、および調節に想到するであろう。例えば、様々な実施形態によると、１または複数の所与の機能を果たすように、１つの構成要素を複数の構成要素に換える、または複数の構成要素を１つの構成要素に換えることができる。したがって、本願は、添付の特許請求の範囲によって規定された本発明の概念および範囲から逸脱することなく、このような全ての改良、変更、および調整を含むものとする。
【００３８】
〔実施の態様〕
（１）使い捨て装着ユニットにおいて、
ハウジング組立体と、
前記ハウジング組立体に結合されたナイフ組立体と、
前記ハウジング組立体に結合された、医療物質を受容する医療物質カートリッジと、
を含み、
前記使い捨て装着ユニットは、前記ナイフ組立体のカッティング面の近傍に前記医療物質を送達するように構成されている、
使い捨て装着ユニット。
（２）実施態様（１）に記載の使い捨て装着ユニットにおいて、
前記ナイフ組立体は、前記カッティング面の近傍に第１の溝を画定する、第１の面を含む、使い捨て装着ユニット。
（３）実施態様（２）に記載の使い捨て装着ユニットにおいて、
前記ナイフ組立体は、前記第１の面と反対側の第２の面をさらに含み、
前記第２の面は、前記カッティング面の近傍に第２の溝を画定している、
使い捨て装着ユニット。
（４）実施態様（２）に記載の使い捨て装着ユニットにおいて、
前記医療物質カートリッジは、
本体と、
前記本体によって画定された、前記第１の溝に近接した第１のディスペンスポートと、
を含む、
使い捨て装着ユニット。
（５）実施態様（４）に記載の使い捨て装着ユニットにおいて、
前記本体は、前記ナイフ組立体によって画定された第２の溝に近接した第２のディスペンスポートを画定している、使い捨て装着ユニット。
【００３９】
（６）実施態様（４）に記載の使い捨て装着ユニットにおいて、
前記医療物質カートリッジは、前記本体に結合された第１のシーリング部材をさらに含む、使い捨て装着ユニット。
（７）実施態様（６）に記載の使い捨て装着ユニットにおいて、
前記医療物質カートリッジは、前記本体に結合された第２のシーリング部材をさらに含む、使い捨て装着ユニット。
（８）実施態様（１）に記載の使い捨て装着ユニットにおいて、
前記ナイフ組立体に結合された少なくとも１つの医療物質ドライバ、
をさらに含む、使い捨て装着ユニット。
（９）実施態様（１）に記載の使い捨て装着ユニットにおいて、
前記医療物質カートリッジと接触している少なくとも１つの医療物質ドライバ、
をさらに含む、使い捨て装着ユニット。
（１０）実施態様（９）に記載の使い捨て装着ユニットにおいて、
前記少なくとも１つの医療物質ドライバは、電気活性ポリマーである、使い捨て装着ユニット。
【００４０】
（１１）実施態様（１）に記載の使い捨て装着ユニットにおいて、
前記ハウジング組立体に結合されたステープルカートリッジと、
前記ハウジング組立体に結合されたアンビル組立体と、
をさらに含む、使い捨て装着ユニット。
（１２）外科器具において、
ハンドル組立体と、
前記ハンドル組立体に結合された細長い本体と、
前記細長い本体に取外し可能に結合された使い捨て装着ユニットと、
を含み、
前記使い捨て装着ユニットは、
ハウジング組立体、
前記ハウジング組立体に結合されたナイフ組立体、
前記ハウジング組立体に結合された、医療物質を受容する医療物質カートリッジ、および、
前記ナイフ組立体に結合された、少なくとも１つの医療物質ドライバ、
を備えると共に、前記ナイフ組立体のカッティング面の近傍に前記医療物質を送達するように構成されている、
外科器具。
（１３）実施態様（１２）に記載の外科器具において、
前記ナイフ組立体は、前記カッティング面の近傍に溝を画定する少なくとも１つの表面を含む、外科器具。
（１４）実施態様（１３）に記載の外科器具において、
前記医療物質カートリッジは、
本体と、
前記本体によって画定された、前記溝に近接した少なくとも１つのディスペンスポートと、
を有する、
外科器具。
（１５）実施態様（１４）に記載の外科器具において、
前記医療物質カートリッジは、前記本体に結合された少なくとも１つのシーリング部材をさらに含む、外科器具。
【００４１】
（１６）実施態様（１２）に記載の外科器具において、
前記ハウジング組立体に結合されたステープルカートリッジと、
前記ハウジング組立体に結合されたアンビル組立体と、
をさらに含む、外科器具。
（１７）外科器具において、
ハンドル組立体と、
前記ハンドル組立体に結合された細長い本体と、
前記細長い本体に取外し可能に結合された使い捨て装着ユニットと、
を含み、
前記使い捨て装着ユニットは、
ハウジング組立体、
前記ハウジング組立体に結合されたナイフ組立体、
前記ハウジングに結合された、医療物質を受容する医療物質カートリッジ、および、
前記医療物質カートリッジに接触し、電気活性ポリマーを含む、少なくとも１つの医療物質ドライバ、
を備えると共に、前記ナイフ組立体のカッティング面の近傍に前記医療物質を送達するように構成されている、
外科器具。
（１８）実施態様（１７）に記載の外科器具において、
前記ナイフ組立体は、前記カッティング面の近傍に溝を画定している少なくとも１つの表面を含む、外科器具。
（１９）実施態様（１８）に記載の外科器具において、
前記医療物質カートリッジは、
本体と、
前記本体によって画定された、前記溝に近接した少なくとも１つのディスペンスポートと、
を有する、
外科器具。
（２０）実施態様（１７）に記載の外科器具において、
前記ハウジング組立体に結合されたステープルカートリッジと、
前記ハウジング組立体に結合されたアンビル組立体と、
をさらに含む、外科器具。
【図面の簡単な説明】
【００４２】
【図１】使い捨て装着ユニットの実施形態を例示する斜視図である。
【図２】使い捨て装着ユニットの実施形態を例示する組立分解斜視図である。
【図３】医療物質カートリッジの様々な実施形態を例示する斜視図である。
【図４】使い捨て装着ユニットの様々な実施形態を例示する斜視図である。
【図５】使い捨て装着ユニットの様々な実施形態を例示する斜視図である。
【図６】使い捨て装着ユニットの様々な実施形態を例示する断面図である。
【図７】使い捨て装着ユニットの様々な実施形態を例示する側断面図である。
【図８】使い捨て装着ユニットの様々な実施形態を例示する側断面図である。
【図９】使い捨て装着ユニットの様々な実施形態を例示する側断面図である。
【図１０】使い捨て装着ユニットの様々な実施形態を例示する側断面図である。
【図１１】使い捨て装着ユニットの様々な実施形態を例示する側断面図である。
【図１２】使い捨て装着ユニットの様々な実施形態を例示する側断面図である。
【図１３】使い捨て装着ユニットの様々な実施形態を例示する斜視図である。
【図１４】使い捨て装着ユニットの様々な実施形態を例示する側断面図である。
【図１５】外科器具の様々な実施形態を例示する斜視図である。
【図１】
0005160068.tif 000002
【図２】
0005160068.tif 000003
【図３】
0005160068.tif 000004
【図４】
0005160068.tif 000005
【図５】
0005160068.tif 000006
【図６】
0005160068.tif 000007
【図７】
0005160068.tif 000008
【図８】
0005160068.tif 000009
【図９】
0005160068.tif 000010
【図１０】
0005160068.tif 000011
【図１１】
0005160068.tif 000012
【図１２】
0005160068.tif 000013
【図１３】
0005160068.tif 000014
【図１４】
0005160068.tif 000015
【図１５】
0005160068.tif 000016